(57)【要約】      （修正有）【課題】放熱性に優れ、組立ての利便性に優れる発光ダイオード灯フレームを提供する。【解決手段】発光ダイオード灯フレーム１０は、笠１１と、基部１２と、光源板１３と、電源座１４と、二つの端カバー１５とを含む。基部１２は槽１２１を含み、基部の両側は笠１１と締め付けており、光源板１３は、笠１１と基部１２との間に設置されており、電源座１４は、光源板１３と電気的に接続し、槽１２１に設置されており、端カバー１５はそれぞれ、笠１１と基部１２の両端と接続しカバーする。【選択図】図１
0003212767.tif 000002
【実用新案登録請求の範囲】
【請求項１】
笠と、基部と、光源板と、電源座と、二つの端カバーとを含む発光ダイオード灯フレームであり、
前記基部は槽を含み、前記基部の両側は前記笠に締め付けられており、
前記光源板は、前記笠と前記基部との間に設置されており、
前記電源座は、前記光源板と電気的に接続し、前記槽に設置されており、
前記端カバーはそれぞれ、前記笠と前記基部の両端と接続しカバーすることを特徴とする発光ダイオード灯フレーム。
【請求項２】
前記発光ダイオード灯フレームは、さらに、少なくとも一つの固定部材を含み、
前記笠と前記基部は、前記固定部材により前記二つの端カバーと接続し固定されることを特徴とする請求項１に記載の発光ダイオード灯フレーム。
【請求項３】
前記発光ダイオード灯フレームは、さらに、前記基部と前記二つの端カバーとの間にある隙間に設置される少なくとも一つの塞ぎ体を含むことを特徴とする請求項１に記載の発光ダイオード灯フレーム。
【請求項４】
前記基部の内部にプリント配線板が設置されていることを特徴とする請求項１に記載の発光ダイオード灯フレーム。
【請求項５】
前記発光ダイオード灯フレームは、さらに、中空状の殻体を有する少なくとも一つの天井取付部材を含むことを特徴とする請求項１に記載の発光ダイオード灯フレーム。
【請求項６】
前記天井取付部材の両側は、前記基部の両側と係合していることを特徴とする請求項５に記載の発光ダイオード灯フレーム。
【請求項７】
前記端カバーは、一側が封止端で、他側が開口端である中空状の殻体であることを特徴とする請求項１に記載の発光ダイオード灯フレーム。
【請求項８】
前記笠は、円弧状の中空状の殻体であることを特徴とする請求項１に記載の発光ダイオード灯フレーム。
【請求項９】
前記笠は、ポリカーボネートにより構成されていることを特徴とする請求項１に記載の発光ダイオード灯フレーム。
【請求項１０】
前記基部は、アルミニウムにより構成されていることを特徴とする請求項１に記載の発光ダイオード灯フレーム。
【考案の詳細な説明】
【技術分野】
【０００１】
本考案は、発光ダイオード灯フレームに関する。
【背景技術】
【０００２】
蛍光灯は、現代において不可欠な照明用具で、広く使用されている照明用製品である。しかしながら、蛍光灯は、体積が大きく、製造、使用又は廃棄される際に、大量の水銀が放出され、環境汚染を招いてしまう危険性がある。なお、蛍光灯は、寿命が１０００時間ほどでとても短いのみならず、フィラメントの発熱に使われた電気エネルギーのうち、わずか１０％だけが可視光線に変わり、残り９０％の電気エネルギーが、無用な熱などに変わり空気へ散逸し、電気エネルギーの消耗となってしまう。それらの欠点があるので、自然環境に負担をかけることがあるのは言うまでもない。
【０００３】
伝統的な蛍光灯の欠点を避け、環境にやさしく、ＣＯ2排出削減と省エネルギー効果の要求に応じるために、伝統的な蛍光灯に代わり、照明技術の領域の当業者が遂にＬＥＤ灯具を開発し、どんどん各種の照明技術の領域に進出している。ＬＥＤ照明技術は、２１世紀の光源として、伝統的な光源に代わり、主要な照明光源として使用されることが認められる。
【０００４】
近年、発光ダイオード（ＬＥＤ）照明技術が発展しているが、例えば、伝言、通信、消費性電子製品の指示器及び表示設備など、広く日常生活で使用されている。特に白光ＬＥＤは、光源又は照明製品として使用されることで、新しい時代を開き、ＬＥＤにおいて最大の発展可能性がある市場と言える。ゆえに、消費者が気に入る製品を大量に開発し、ＬＥＤの日常照明の応用を広げることは、業界にとって重要な設計目標となっている。
【０００５】
従来の直管形灯は、以下二種がある。
（１）導光板がプラスチックで、放熱部材がアルミニウム部材により構成されるＬＥＤ直管形灯である。そのＬＥＤ灯板は、導光板内に設置されアルミニウム部材と接続されており、導光板はアルミニウム部材に設置されている。主な問題は、耐圧性が低く、駆動電源に対する要求が高くなるので、コストが高くなり、安全性能が低くなり、使用者の要求を満足させることができず、実用性がない。
（２）ＬＥＤ灯は、整体がプラスチックにより構成され、プラスチック部材内に灯板が設置されるものである。耐圧性に優れ安全性が高くなるが、放熱効果が低いので、ＬＥＤ灯板の効率を大きくさせることが困難となり、製品の寿命が短くなることをもたらす。
【０００６】
なお、従来のＬＥＤ蛍光灯は、複雑なパーツ構成であり、取り付け・取り外しが複雑のため、一般的な消費者にとって、その製品の使用などが困難になる。
【０００７】
よって、考案者にとって、放熱性に優れ、組み合わせ自在のＴ５シリーズ直管形発光ダイオード灯フレームを開発する必要がある。
【考案の概要】
【考案が解決しようとする課題】
【０００８】
本考案は上記の問題点に鑑みてなされたものであり、その目的は、従来技術の欠点を改善する発光ダイオード灯フレームを提供するものである。
本考案は、発光ダイオード（ＬＥＤ）灯フレームに関し、特に放熱性に優れ、組み合わせ自在のＴ５シリーズ直管形発光ダイオード灯フレームに関する。
【課題を解決するための手段】
【０００９】
本考案の一態様によれば、笠と、基部と、光源板と、電源座と、二つの端カバーとを含む発光ダイオード（ＬＥＤ）灯フレームを提供する。前記発光ダイオード灯フレームでは、前記基部は槽を含み、前記基部の両側は前記笠に締め付けられており、前記光源板は、前記笠と前記基部との間に設置されており、前記電源座は、前記光源板と電気的に接続し、前記槽に設置されており、前記端カバーはそれぞれ、前記笠と前記基部の両端と接続しカバーすることを特徴とする。
【００１０】
好ましくは、本考案の発光ダイオード灯フレームは、さらに、少なくとも一つの固定部材を含み、前記笠と前記基部は、前記固定部材により前記二つの端カバーと接続し固定される。
【００１１】
好ましくは、本考案の発光ダイオード灯フレームは、さらに、前記基部と前記二つの端カバーとの間にある隙間に設置される少なくとも一つの塞ぎ体を含む。
【００１２】
好ましくは、前記基部の内部にプリント配線板が設置されている。
【００１３】
好ましくは、本考案の発光ダイオード灯フレームは、さらに、中空状の殻体を有する少なくとも一つの天井取付部材を含む。
【００１４】
好ましくは、前記天井取付部材の両側は、前記基部の両側と係合している。
【００１５】
好ましくは、前記端カバーは、一側が封止端で、他側が開口端である中空状の殻体である。
【００１６】
好ましくは、前記笠は、円弧状の中空状の殻体である。
【００１７】
好ましくは、前記笠は、ポリカーボネートにより構成されている。
【００１８】
好ましくは、前記基部は、アルミニウムにより構成されている。
【考案の効果】
【００１９】
本考案の灯フレームは、長さに制限が無く、灯具の長さに関し特殊な条件が要求される場合に満足でき、放熱性に優れ、発光効率が向上し、寿命が長く、取り付け・修理作業を容易に行うことができ、製品の出光率が高く、発光効率も高いメリットがある。
【図面の簡単な説明】
【００２０】
【図１】本考案の発光ダイオード灯フレームを示す分解斜視図である。
【図２】本考案の発光ダイオード灯フレームの外観を示す図である。
【考案を実施するための形態】
【００２１】
以下、本考案に係る実施形態について、図面を参照しながら具体的に説明する。
【００２２】
図１は、本考案の発光ダイオード灯フレームを示す分解斜視図である。図１に示すように、本考案は、笠１１と、基部１２と、光源板１３と、電源座１４と、二つの端カバー１５とを含む発光ダイオード（ＬＥＤ）灯フレーム１０を提供する。
【００２３】
さらに、本考案の提供した発光ダイオード灯フレーム１０は、笠１１と、基部１２と、光源板１３と、電源座１４と、二つの端カバー１５とを含む。基部１２は槽１２１を含み、基部１２の両側は笠１１に締め付けられており、光源板１３は、笠１１と基部１２との間に設置されており、電源座１４は、光源板１３と電気的に接続し、槽１２１に設置されており、端カバー１５はそれぞれ、笠１１と基部１２の両端と接続しカバーしている。
【００２４】
好ましくは、笠１１はポリカーボネートにより構成されて透光性を有し、つまり、笠１１は透光部材であってもよい。基部１２は、アルミニウムにより構成されてもよい。しかしながら、笠１１、基部１２の材質はこれらに限らず、適当に変化させることがあってもよい。笠１１は弧状或いは他の形状の、中空状の殻体であるが、その形状、寸法、長さはこれらに限らず、適当に変化させることがあってもよい。基部１２と笠１１とは、嵌合接続すること、又はネジで接続することなどにより組み合わせられて、中空状の直管とすることができ、笠１１が取り付け・取り外し可能で基部１２に設置されるようにする。笠１１は光源板１３の外部を覆うよう設置されてもよい。光源板１３上に複数の発光ダイオードがあってもよく（図示せず）、これは当業者にとって周知の技術であるので、説明を省略する。発光ダイオードからの光は、笠１１を通して出射することができる。基部１２は、ペーストで接着することや部材で挟んで支持することなどにより適当な位置に固定することができる。
【００２５】
また、基部１２は主に放熱機能を有し、アルミニウムにより構成されるが、これに限らない。発光ダイオードは光源板１３の長手方向に沿い、一行又は数行に配列されており、電源座１４と電気的に接続している。
【００２６】
必要に応じて、基部１２の内部にプリント配線板が設置されてもよく（図示せず）、これは当業者にとって周知の技術であるので、説明を省略する。基部１２の表面両側に、外へ延伸している第１係合部１２２が設置されてもよい。上記プリント配線板は、必要に応じて直管形灯の一端より、滑動可能に基部１２の表面に組立てられる際に、第１係合部１２２により有効に基部１２に固定することができ、基部１２から容易に脱離しないようにすることができる。
【００２７】
さらに、本考案の発光ダイオード灯フレームは、少なくとも一つの固定部材１６を含む。笠１１と基部１２は、固定部材１６により端カバー１５と接続し固定される。好ましくは、固定部材１６はセルフタッピングネジを含むが、これに限らず、本考案の発光ダイオード灯フレーム１０が容易に取り付け・取り外し可能であればよい。
【００２８】
なお、端カバー１５は、一側が封止端で、他側が開口端である中空状の殻体である。電源座１４は、基部１２の槽１２１を通し、端カバー１５により固定されており、本考案の発光ダイオード灯フレーム１０がより丈夫となるようにする。
【００２９】
又、本考案の発光ダイオード灯フレームは、少なくとも一つの塞ぎ体１７を含む。好ましくは、塞ぎ体１７は、ゴムから構成されたものであるが、これに限らない。塞ぎ体１７は、基部１２と端カバー１５との間の隙間における衝撃を和らげるためのものであり、本考案の発光ダイオード灯フレーム１０の内部結構が散乱することなく固定されるようにする。
【００３０】
その上、本考案の発光ダイオード灯フレームは、少なくとも一つの天井取付部材１８を含む。天井取付部材１８は、中空状の殻体であり、且つその両側に、外へ延伸している第２係合部１８１が設置されてもよい。天井取付部材１８の第２係合部１８１は、基部１２の両側にある第１係合部１２２と係合することができ、組立ての利便性に優れ、取り付け・修理作業を容易に行えるようにする。
【００３１】
図２は、本考案の発光ダイオード灯フレームの外観を示す図である。図２に示すように、図１における各部件が組み立てられたものは、図２に示すような外観を有している。本考案の灯フレームは、長さに制限は無く、灯具の長さに関し特殊な条件が要求される場合に満足でき、放熱性に優れ、発光効率が向上し、寿命が長く、取り付け・修理作業を容易に行うことができ、製品の出光率が高く、発光効率も高いメリットがある。
【符号の説明】
【００３２】
１０                      発光ダイオード灯フレーム
１１                      笠
１２                      基部
１２１                    槽
１２２                    第１係合部
１３                      光源板
１４                      電源座
１５                      端カバー
１６                      固定部材
１７                      塞ぎ体
１８                      天井取付部材
１８１                    第２係合部
【図１】
0003212767.tif 000003
【図２】
0003212767.tif 000004